(57)【要約】  【課題】陰極線管の管面に直接接着して陰極線管のピュリティを改善するための補助調整用のマグネットにおいて、ピュリティを改善する適正な陰極線管上の位置と角度を探索する作業と、探索された適正な位置及び適正な角度に、正確にマグネットを接着する作業が容易に行え、結果的により良好なピュリティの改善を図る。  【解決手段】直方形状のマグネット板２と、一面に形成した接着面３と、接着面３に貼着した剥離シート４からなり、使用時には、剥離シート４を剥離して露出した接着面３を陰極線管の管面に接着して使用するマグネット１において、接着面３を形成した側の面の中央に小突起６を有し、その小突起６の先端のみを陰極線管の管面に接触させつつ移動及び回転させて、ピュリティが改善される位置と角度を探索する。そして、位置と角度が決定した後に、マグネット板２の全面を管面方向へ押圧して、接着面３のほぼ全面を陰極線管の管面に接着させる。【選択図】  図１
2006294427.tif 000002
【特許請求の範囲】
【請求項１】
陰極線管の管面に沿って屈曲可能な可撓性を有する矩形状のマグネット板と、その一面に形成した接着面と、その接着面に貼着した剥離シートからなり、使用時には、前記剥離シートを剥離した上、陰極線管の管面の適所に接着して、陰極線管のピュリティを補助的に調整するためのピュリティ調整用マグネットにおいて、
前記マグネット板の接着面が形成された側の面の中央に、前記マグネット板と一体に形成された半球状の小突起を有し、
前記陰極線管のピュリティが改善される適当な位置と角度を探索する時には、前記小突起の先端のみが前記陰極線管の管面に接触し、前記接着面は前記陰極線管の管面から浮上した状態で、前記管面上を移動及び回転でき、
前記陰極線管のピュリティが改善される適当な位置と角度が決定して、ユーザが、前記接着面を前記陰極線管の管面に接着させる時には、ユーザにより、前記マグネット板の全面に圧力がかけられると、前記接着面のほぼ全面が前記管面に接着することを特徴とするピュリティ調整用マグネット。
【請求項２】
陰極線管の管面に沿って屈曲可能な可撓性を有するマグネット板と、その一面に形成した接着面と、その接着面に貼着した剥離シートからなり、使用時には、前記剥離シートを剥離した上、陰極線管の管面の適所に接着して、陰極線管のピュリティを補助的に調整するためのピュリティ調整用マグネットにおいて、
前記マグネット板の接着面が形成された側の面の中央に、小突起を有することを特徴とするピュリティ調整用マグネット。
【請求項３】
前記小突起が、前記マグネット板と一体に形成された半球状のものであることを特徴とする請求項２に記載のピュリティ調整用マグネット。
【請求項４】
ユーザが、前記剥離シートを剥離して、前記接着面を露出させた状態のピュリティ調整用マグネットを、前記小突起の先端のみを陰極線管の管面に接触させつつ移動及び回転させて、前記陰極線管のピュリティが改善される管面上の位置と角度を探索し、ピュリティ調整用マグネットを接着すべき位置と角度が決定した後に、前記マグネット板の全面を管面方向へ押圧して、マグネット板の屈曲を管面に倣わせると共に、前記接着面を管面に接着することを特徴とする請求項２に記載のピュリティ調整用マグネットを用いたピュリティ調整方法。
【発明の詳細な説明】
【技術分野】
【０００１】
本発明は、陰極線管のピュリティ調整用のマグネットに関し、詳しくは、陰極線管の湾曲した管面に直接接着して、陰極線管のピュリティを補助的に調整するためのマグネットに関する。
【背景技術】
【０００２】
テレビジョン受像機等の陰極線管では、画像の色ずれを調整するために、偏向ヨークにピュリティ調整用マグネットが組みつけられる。
【０００３】
例えば、偏向ヨークの取付け面上でマグネットの固定位置を変更して調整作業を行う時に、マグネットが回転することなく平行移動させることができるように、マグネットの表面及び取付け面に、案内用の凹部及び凸部を設けたもの（特許文献１参照）や、キャビネットに組み込まれた後にキャビネット内の部品から受ける磁気的影響を、キャビネットに組み込む前に予め付与するために、陰極線管の水平偏向コイルの周囲に巻き付けるバンド状のマグネット（特許文献２参照）が、知られている。
【特許文献１】特開２０００−１２３７６０号公報
【特許文献２】特開昭６１−２９２８３８号公報
【発明の開示】
【発明が解決しようとする課題】
【０００４】
上記特許文献１及び特許文献２に開示されたピュリティ調整用マグネットは、偏向ヨークに組みつけられて、陰極線管内の電子ビームの方向を全体として調整してピュリティの改善を図るものであるが、部分的なピュリティの改善を図る補助具として、陰極線管の管面に直接接着して使用する小型板状のマグネットが知られている。この小型板状マグネットは、一面が接着面に形成されると共に、その接着面には剥離シートが貼着してあり、使用時に、ユーザが剥離シートを剥離して接着面を露出させ、陰極線管上の適当な位置に押圧して、接着するようになっている。
【０００５】
つまり、例えば、テレビジョン受像機の組立てにおいて、キャビネットに組み込む以前の状態で、ピュリティが調整された陰極線管であっても、キャビネットに組み込んだ後には、陰極線管の近くにスピーカが位置し、スピーカからの磁気によって画面に部分的な色ずれが発生することがある。このような場合に、上記小型板状のマグネットを用いて、まず、それを陰極線管の管面に沿った種々の場所に移動させて色ずれが修正される適当な場所を探索し、場所が決定すれば、小型板状マグネットをその場所に押圧して接着する。
【０００６】
ところが、従来の小型板状マグネットでは、ピュリティが最も良く改善される場所に、マグネットを接着するという点において、次に説明する不具合があった。つまり、ピュリティが最も改善される場所は、ユーザが、陰極線管の画面を目視しながら、手で保持した小型板状のマグネットを管面に沿って移動させて探索するのであるが、そのようにして接着する場所が決定した後に、ユーザは、マグネットの接着面の剥離シートを剥離しなければならない。ところが、剥離シートを剥離するために、マグネットを一旦手元側へ戻して剥離シートを剥離した後では、マグネットを管面上の元の場所に戻して接着したとしても、微妙に位置及び角度が異なってしまうことが多く、ピュリティの改善が不完全になってしまうことがあった。
【０００７】
上記の不具合を解消するために、ピュリティが最も良く改善される場所が決定された後に、そこへ目印を付すことが考えられるが、片方の手ではマグネットを保持しなければならないので、目印を付す作業はユーザにとって容易ではなく、時間と手間がかかる作業になる虞がある。また、予めマグネットから剥離シートを剥離した上で、場所を探索する作業を行うことも考えられるが、その場合には、接着面が陰極線管の管面に接着しないように、マグネットを管面から相当に浮かせた状態で、場所を探索する作業をしなければならず、ピュリティが最も良く改善される場所を見つけることが困難になる。
【０００８】
そこで、本発明は、陰極線管の管面に直接接着して陰極線管のピュリティを改善するための補助調整用のマグネットにおいて、ピュリティを改善する適正な陰極線管上の位置と角度を探索する作業と、その探索作業の結果決定された、適正な位置及び適正な角度に、正確にマグネットを接着する作業が容易に行え、結果的により良好なピュリティの改善を図ることができるピュリティ調整用マグネットと、そのピュリティ調整用マグネットを用いたピュリティ調整方法を提供することを目的とする。
【課題を解決するための手段】
【０００９】
上記目的を達成するために、請求項１の発明は、陰極線管の管面に沿って屈曲可能な可撓性を有する矩形状のマグネット板と、その一面に形成した接着面と、その接着面に貼着した剥離シートからなり、使用時には、前記剥離シートを剥離した上、陰極線管の管面の適所に接着して、陰極線管のピュリティを補助的に調整するためのピュリティ調整用マグネットにおいて、前記マグネット板の接着面が形成された側の面の中央に、前記マグネット板と一体に形成された半球状の小突起を有し、前記陰極線管のピュリティが改善される適当な位置と角度を探索する時には、前記小突起の先端のみが前記陰極線管の管面に接触し、前記接着面は前記陰極線管の管面から浮上した状態で、前記管面上を移動及び回転でき、前記陰極線管のピュリティが改善される適当な位置と角度が決定して、ユーザが、前記接着面を前記陰極線管の管面に接着させる時には、ユーザにより、前記マグネット板の全面に圧力がかけられると、前記接着面のほぼ全面が前記管面に接着することを特徴とする。
【００１０】
請求項２の発明は、陰極線管の管面に沿って屈曲可能な可撓性を有するマグネット板と、その一面に形成した接着面と、その接着面に貼着した剥離シートからなり、使用時には、前記剥離シートを剥離した上、陰極線管の管面の適所に接着して、陰極線管のピュリティを補助的に調整するためのピュリティ調整用マグネットにおいて、前記マグネット板の接着面が形成された側の面の中央に、小突起を有することを特徴とする。
【００１１】
請求項３の発明は、請求項２の発明において、前記小突起が、前記マグネット板と一体に形成された半球状のものであることを特徴とする。
【００１２】
請求項４の発明は、ユーザが、前記剥離シートを剥離して、前記接着面を露出させた状態のピュリティ調整用マグネットを、前記小突起の先端のみを陰極線管の管面に接触させつつ移動及び回転させて、前記陰極線管のピュリティが改善される管面上の位置と角度を探索し、ピュリティ調整用マグネットを接着すべき位置と角度が決定した後に、前記マグネット板の全面を管面方向へ押圧して、マグネット板の屈曲を管面に倣わせると共に、前記接着面を管面に接着することを特徴とする請求項２に記載のピュリティ調整用マグネットを用いたピュリティ調整方法である。
【発明の効果】
【００１３】
本発明によれば、ピュリティを改善する適正な陰極線管上の位置と角度を探索する作業と、その探索作業の結果決定された適正な位置及び適正な角度に、正確にマグネットを接着する作業が容易に行え、結果的により良好なピュリティの改善を得ることができる。
【発明を実施するための最良の形態】
【００１４】
以下、本発明の一実施形態に係るピュリティ調整用マグネットと、それを用いたピュリティ調整方法について、図面を参照して説明する。本実施形態のピュリティ調整用マグネット１は、陰極線管の湾曲した管面に沿って屈曲可能な可撓性を有する直方形状のマグネット板２と、その一面に形成した接着面３と、その接着面３に貼着した剥離シート４からなり、マグネット板２の端部にはＮ、Ｓの極性を示すために暗色５に着色してある（図１）。
【００１５】
そして、上記ピュリティ調整用マグネットは、マグネット板２の接着面３が形成された側の面の中央に、マグネット板２と一体に半球状の小突起６を有しており、剥離シート４には、その小突起の部分のみが露出するように、小径の孔４ａが開けてある。小突起６の形状は、半球状に限らず、種々に変形が可能であり、小突起６の高さについては、マグネット板２の大きさに応じて０．５乃至数ｍｍ程度が好ましい。この点については、後述するピュリティの調整方法において詳述する。
【００１６】
次に、このピュリティ調整用マグネット１を用いたピュリティの調整方法について、図２及び図３を参照して説明する。陰極線管７の偏向ヨーク８にはピュリティ調整用のマグネットが組み込まれ、キャビネット９に組み込む以前の状態では、既にピュリティの調整がなされたものとする。そして、今、キャビネット９に組み込んだ状態で、キャビネット９内にあるスピーカ等の部品からの磁気的影響によって部分的に新たな色ずれが生じているとする。
【００１７】
ユーザは、まず、ピュリティ調整用マグネット１の剥離シート４を剥離し、接着面３を露出させる。そして、図３（ａ）に示されるように、露出した接着面３を、陰極線管７の管面７ａに向け、マグネット板２が管面７ａに略平行になるように接近させる。この時、小突起６の先端が最初に管面７ａに接触し、ユーザは、接着面３を、管面７ａから僅かに浮いた（離間した）状態に容易に保つことができる。管面７ａはいずれの部分でも凸に湾曲しているので、そのことによっても、接着面３を管面７ａから浮かせた状態で保持することは、容易である。ユーザは、このように、小突起６の先端のみを管面７ａに当接させた状態で、陰極線管７の画面を実際に目視しながら、マグネット１を管面７ａに沿って移動及び回転させ、ピュリティが改善される最適な位置及び角度を探索する。なお、この探索時に、マグネット板２が傾斜したり、僅かに屈曲して、接着面３の一部が管面７ａに接触しても、その接触面積は僅かであるので、マグネット１の移動及び回転に支障を生じることはない。
【００１８】
そして、ピュリティが最も改善される位置と角度が決定すると、ユーザは、図３（ｂ）に示されるように、マグネット板２の上面全面に手指の腹で管面方向へ圧力Ｐをかけ、接着面３を管面７ａに倣わせると共に、接着させる。この時、小突起６の周囲の部分は、接着面３が管面７ａから浮いたままで、接着しないが、小突起６の高さを充分に低いものとすることにより、接着面３の大部分を管面７ａに接着させることができ、以後にマグネット１が管面７ａから剥がれて脱落することを防止できる。また、マグネット板２を、充分に大きな可撓性を有する材料で構成すれば、小突起６の周囲に発生する管面７ａから浮いた部分の大きさを、さらに小さくでき、剥離による脱落をさらに有効に防止できる。
【００１９】
以上のように、小突起６の高さは、マグネット１を管面７ａ上で移動させてピュリティが改善する最適位置を探索する時に、接着面３の大部分が、簡単に管面に接触してしまうことがない程度に高いことが望ましく、最適位置及び最適角度が決定されて、接着面３を管面７ａに押圧し接着させる時には、接着面３の大部分が管面７ａに接着する程度に低いことが望ましい。従って、小突起６の高さは、具体的には０．５乃至数ｍｍ程度になるが、マグネット板２の大きさ（面積）によって、上記条件を満たすように変更することが望ましい。つまり、マグネット板２が大きい面積のものであれば、小突起６の高さも比較的高く設定し、逆に小さい面積のものであれば、小突起６の高さは比較的低く設定する。
【００２０】
小突起６の形状は、マグネット１を管面７ａ上で移動及び回転させる時の摩擦抵抗を小さくできることから、半球状が好ましいが、円錐、角錐等の形状であってもよいし、円柱形、角柱形等の形状であってもよい。
【００２１】
また、小突起６をマグネット板２とは異なる柔軟性の高い材料（合成樹脂、ゴム等）で形成し、接着面３を陰極線管７の管面７ａに接着させる時には、小突起６自身が圧力によって縮小して、小突起６の周囲の、管面７ａから浮いた状態になる面積が可及的に小さくなるようにし、接着されたマグネット１の管面７ａからの剥落の可能性をさらに小さくすることもできる。
【００２２】
いずれにしても、上述のピュリティ調整用マグネット１を用いて上述の方法でピュリティの調整を行えば、ピュリティが改善される適正な陰極線管上の位置と角度を探索する作業と、その探索作業の結果決定された適正な位置及び適正な角度に、正確にマグネット１を接着する作業が容易に行え、結果的により良好なピュリティの改善を得ることができる。
【図面の簡単な説明】
【００２３】
【図１】本発明の一実施形態に係るピュリティ調整用マグネットの外観を示し、（ａ）は平面図、（ｂ）は側面図。
【図２】同ピュリティ調整用マグネットを陰極線管の管面に沿って移動させる態様を示す説明図。
【図３】同ピュリティの調整方法を示す説明図であって、（ａ）はマグネットを移動又は回転させる時の状態を示し、（ｂ）はマグネットを陰極線管に接着させる時の状態を示す。
【符号の説明】
【００２４】
１  ピュリティ調整用マグネット
２  マグネット板
３  接着面
４  剥離シート
６  小突起
７  陰極線管
７ａ  管面
Ｐ  圧力
【図１】
2006294427.tif 000003
【図２】
2006294427.tif 000004
【図３】
2006294427.tif 000005